【手続補正書】
【提出日】平成29年4月6日(2017.4.6)
【手続補正１】
【補正対象書類名】明細書
【補正対象項目名】０００７
【補正方法】変更
【補正の内容】
【０００７】
上述の問題点を解決するため、本発明に係る情報処理装置は以下の構成を備える。すなわち、オブジェクトを管理する情報処理装置は、タッチパネルディスプレイに表示された第１のオブジェクト及び第２のオブジェクトに対するユーザによる操作を受け付ける操作受付手段と、前記第１のオブジェクト及び前記第２のオブジェクトの双方がドラッグ状態となっている状況において、前記第２のオブジェクトに対してドロップ操作がされたか否かを判定する第１の判定手段と、前記第２のオブジェクトに対してドロップ操作がされたと判定された場合、前記ドラッグ状態の第１のオブジェクトの位置と前記第２のオブジェクトのドロップ位置とが所定の距離以内であるか否かを判定する第２の判定手段と、前記第２の判定手段により前記ドラッグ状態の第１のオブジェクトの位置と前記第２のオブジェクトのドロップ位置とが前記所定の距離以内であると判定された場合、前記ドラッグ状態の第１のオブジェクトを前記第１のオブジェクト及び前記第２のオブジェクトを格納したフォルダに変更する制御手段と、を有する。又は、オブジェクトを管理する情報処理装置は、タッチパネルディスプレイに表示された第１のオブジェクト及び第２のオブジェクトに対するユーザによる操作を受け付ける操作受付手段と、前記第１のオブジェクト及び前記第２のオブジェクトの双方がドラッグ状態となっている状況において、前記第２のオブジェクトに対してフリック操作がされたか否かを判定する第１の判定手段と、前記第２のオブジェクトに対してフリック操作がされたと判定された場合、該第２のオブジェクトの位置と該フリック操作の方向とを取得する取得手段と、前記位置を起点とした前記方向の延長線上に前記ドラッグ状態の第１のオブジェクトが位置しているか否かを判定する第２の判定手段と、前記第２の判定手段により前記延長線上に前記ドラッグ状態の第１のオブジェクトが位置していると判定された場合、前記ドラッグ状態の第１のオブジェクトを前記第１のオブジェクト及び前記第２のオブジェクトを格納したフォルダに変更する制御手段と、を有する。
【手続補正２】
【補正対象書類名】特許請求の範囲
【補正対象項目名】全文
【補正方法】変更
【補正の内容】
【特許請求の範囲】
【請求項１】
オブジェクトを管理する情報処理装置であって、
タッチパネルディスプレイに表示された第１のオブジェクト及び第２のオブジェクトに対するユーザによる操作を受け付ける操作受付手段と、
前記第１のオブジェクト及び前記第２のオブジェクトの双方がドラッグ状態となっている状況において、前記第２のオブジェクトに対してドロップ操作がされたか否かを判定する第１の判定手段と、
前記第２のオブジェクトに対してドロップ操作がされたと判定された場合、前記ドラッグ状態の第１のオブジェクトの位置と前記第２のオブジェクトのドロップ位置とが所定の距離以内であるか否かを判定する第２の判定手段と、
前記第２の判定手段により前記ドラッグ状態の第１のオブジェクトの位置と前記第２のオブジェクトのドロップ位置とが前記所定の距離以内であると判定された場合、前記ドラッグ状態の第１のオブジェクトを前記第１のオブジェクト及び前記第２のオブジェクトを格納したフォルダに変更する制御手段と、
を有することを特徴とする情報処理装置。
【請求項２】
前記第２の判定手段は、前記第２のオブジェクトに対するドロップ操作の時刻から所定の時間が経過したとき前記第１のオブジェクトのドラッグ状態が継続している場合に前記判定を行う
ことを特徴とする請求項１に記載の情報処理装置。
【請求項３】
オブジェクトを管理する情報処理装置であって、
タッチパネルディスプレイに表示された第１のオブジェクト及び第２のオブジェクトに対するユーザによる操作を受け付ける操作受付手段と、
前記第１のオブジェクト及び前記第２のオブジェクトの双方がドラッグ状態となっている状況において、前記第２のオブジェクトに対してフリック操作がされたか否かを判定する第１の判定手段と、
前記第２のオブジェクトに対してフリック操作がされたと判定された場合、該第２のオブジェクトの位置と該フリック操作の方向とを取得する取得手段と、
前記位置を起点とした前記方向の延長線上に前記ドラッグ状態の第１のオブジェクトが位置しているか否かを判定する第２の判定手段と、
前記第２の判定手段により前記延長線上に前記ドラッグ状態の第１のオブジェクトが位置していると判定された場合、前記ドラッグ状態の第１のオブジェクトを前記第１のオブジェクト及び前記第２のオブジェクトを格納したフォルダに変更する制御手段と、
を有することを特徴とする情報処理装置。
【請求項４】
前記第２の判定手段は、前記延長線から所定の距離内に前記ドラッグ状態の第１のオブジェクトが位置している場合、前記延長線上に前記ドラッグ状態の第１のオブジェクトが位置していると判定する
ことを特徴とする請求項３に記載の情報処理装置。
【請求項５】
オブジェクトを管理する情報処理装置の制御方法であって、前記情報処理装置は、タッチパネルディスプレイの画面上に表示された第１のオブジェクト及び第２のオブジェクトに対するユーザによる操作を受け付けるよう構成されており、前記制御方法は、
前記第１のオブジェクト及び前記第２のオブジェクトの双方がドラッグ状態となっている状況において、前記第２のオブジェクトに対してドロップ操作がされたか否かを判定する第１の判定工程と、
前記第２のオブジェクトに対してドロップ操作がされたと判定された場合、前記ドラッグ状態の第１のオブジェクトの位置と前記第２のオブジェクトのドロップ位置とが所定の距離以内であるか否かを判定する第２の判定工程と、
前記第２の判定工程により前記ドラッグ状態の第１のオブジェクトの位置と前記第２のオブジェクトのドロップ位置とが前記所定の距離以内であると判定された場合、前記ドラッグ状態の第１のオブジェクトを前記第１のオブジェクト及び前記第２のオブジェクトを格納したフォルダに変更する制御工程と、
を有することを特徴とする情報処理装置の制御方法。
【請求項６】
オブジェクトを管理する情報処理装置の制御方法であって、前記情報処理装置は、タッチパネルディスプレイの画面上に表示された第１のオブジェクト及び第２のオブジェクトに対するユーザによる操作を受け付けるよう構成されており、前記制御方法は、
前記第１のオブジェクト及び前記第２のオブジェクトの双方がドラッグ状態となっている状況において、前記第２のオブジェクトに対してフリック操作がされたか否かを判定する第１の判定工程と、
前記第２のオブジェクトに対してフリック操作がされたと判定された場合、該第２のオブジェクトの位置と該フリック操作の方向とを取得する取得工程と、
前記位置を起点とした前記方向の延長線上に前記ドラッグ状態の第１のオブジェクトが位置しているか否かを判定する第２の判定工程と、
前記第２の判定工程により前記延長線上に前記ドラッグ状態の第１のオブジェクトが位置していると判定された場合、前記ドラッグ状態の第１のオブジェクトを前記第１のオブジェクト及び前記第２のオブジェクトを格納したフォルダに変更する制御工程と、
を有することを特徴とする情報処理装置の制御方法。
【請求項７】
コンピュータを、請求項１乃至４の何れか一項に記載の情報処理装置の各手段として機能させるためのプログラム。